(57)【要約】      （修正有）【課題】従来よりもパーツ数を減らしかつコストを抑え、ツッパリ感を緩和させ、ストレッチ性を向上させた衣服を提供する。【解決手段】衣服は、衿４と、前身頃１と、後身頃と２、右袖部３ａと、左袖部３ｂとを有する。右袖部３ａおよび左袖部３ｂがそれぞれ単一のパーツであって、右袖部３ａおよび左袖部３ｂのそれぞれと前身頃１および後身頃２との接合部７が、肩甲骨、上腕周り（脇）、上腕、下腕の順番で延びる１ラインで構成されている。【選択図】図１
0003188916.tif 000002
【実用新案登録請求の範囲】
【請求項１】
衿またはフードと、前身頃と、後身頃と、右袖部と、左袖部とを有する衣服であって、
前記右袖部および前記左袖部がそれぞれ単一のパーツであって、前記右袖部および前記左袖部のそれぞれと前記前身頃および前記後身頃との接合部が、肩甲骨あるいは肩から下がる位置の背部、上腕周りあるいは脇、上腕、下腕の順番で延びる１ラインで構成されていることを特徴とする衣服。
【請求項２】
前記接合部は、隣り合う生地断面を互いが重ならないように突き合わせ、接着層を介してテープ部材で接合する構成である、請求項１に記載の衣服。
【請求項３】
前記接合部は、縫製によって接合される構成である、請求項１に記載の衣服。
【請求項４】
前身頃と後身頃との接合部は、隣り合う生地断面を互いが重ならないように突き合わせ、接着層を介してテープ部材で接合する構成である、請求項１〜３のいずれか１項に記載の衣服。
【請求項５】
前身頃と後身頃との接合部は、縫製によって接合される構成である、請求項１から３のいずれか１項に記載の衣服。
【考案の詳細な説明】
【技術分野】
【０００１】
本考案は、ツッパリ感を解消し、高い着用感を有する衣類に関する。
【背景技術】
【０００２】
身体の曲げ伸ばしに対するツッパリ感を緩和できる作業服がある(特許文献１)。この作業服は、袖部分が、袖中心線および袖下線で縫い付けられる前袖部分と後袖部分とからなる。前袖部分は、袖中心線部が前身頃と後身頃の縫い合わされる肩線の延長線上に取られて裁断され、且つ前身頃への袖付け部から袖口部まで１枚の型で生地取りされる。後袖部分は、袖中心線部が肩線の延長線よりも上向きに取られ、且つ後身頃への袖付け部が肩甲骨の内側縁にほぼ沿う位置に取られ、且つ袖付け部から袖口部までが肩背面部、上腕背面部、前腕背面部に３分割された型で生地取りされる。後身頃と肩背面部との第１縫い付け部、肩背面部と上腕背面部との第２縫い付け部、上腕背面部と前腕背面部との第３縫い付け部は、肘や肩の関節を前方屈曲させるときの伸張側の引きつりを緩和する立体裁断にされる。
【０００３】
また、肩上部から縫合線および縫い代を無くした被服がある(特許文献２)。この被服は、前身頃の左前肩部および右前肩部を後身頃と連続して一体に形成する。また、前記左右の前肩部の下端縁と、それと縫合される前身頃片の上端縁を所定の曲線となるように形成し、よって前記前身頃片と後身頃を接続する縫合線を、前記左右の前肩部の下端において前記所定の曲線に形成する、より具体的には、Ｔシャツの立位着用時において着用者の鎖骨上部に相当する部位に位置し、かつ、その裾方向に凸部を有する曲線に形成する。
【０００４】
また、特殊な立体構造と生地のストレッチ性を組合わせた衣服がある(特許文献３)。この衣服は、前身頃、後身頃、２枚の前袖、２枚のヨーク布および２枚のマチ布からなり、前身頃の脇線が袖刳りの下端から斜め後方に傾斜して延び、前袖は前身頃の袖刳りに縫付けられる。２枚のヨーク布は背中心縁で縫合わされ、背中心から袖先まで延びている。後身頃はヨーク布と縫合わされる上縁の幅よりも裾の幅が狭く、両側縁が上端から下端へ背中心に向かって斜めに延びている。マチ布の裾部は背中に位置し、マチ布は背中側から前側へと裾から斜め上方に向かい腋下を通って袖先まで延びている。
【先行技術文献】
【特許文献】
【０００５】
【特許文献１】特開２００２−３８３２２号公報
【特許文献２】特開２００３−１２９３１６号公報
【特許文献３】特開２００５−３０７３６９号公報
【考案の概要】
【考案が解決しようとする課題】
【０００６】
上記特許文献１〜３は、いずれも複数のパーツ生地を組み合わせて肩口から袖周りの形状を構成している。すなわち、ツッパリ感のある箇所を複数のパーツ生地を組み合わせることで緩和させるものである。しかしながら、複数のパーツ生地を必要とするため、型抜きや縫製加工が煩雑になり、結果的にコスト高になっている。
【０００７】
本考案は上記問題に鑑みてなされたものであって、その目的は、従来よりもパーツ数を減らしかつコストを抑え、ツッパリ感を緩和させ、着用感を向上させた衣服を提供することにある。
【課題を解決するための手段】
【０００８】
本発明に係る衣服は、
衿またはフードと、前身頃と、後身頃と、右袖部と、左袖部とを有する衣服であって、
前記右袖部および前記左袖部がそれぞれ単一のパーツであって、前記右袖部および前記左袖部のそれぞれと前記前身頃および前記後身頃との接合部が、肩甲骨（あるいは肩から下がる位置の背部）、上腕周り(あるいは脇)、上腕、下腕の順番で延びる１ラインで構成されていることを特徴とする。
【０００９】
この構成によれば、袖部のパーツを一つとして、パーツ数を少なくし、さらに一筆書のように１ラインの接合部を形成することで、肩部、肩甲骨、上腕周り、上腕、下腕を単一のパーツで構成でき、かつ、１ラインの滑らかな曲線である接合部によって、ツッパリ感を緩和させ、着用感を向上させることができる。
【００１０】
上記発明の一実施形態として、前記接合部は、隣り合う生地断面を互いが重ならないように突き合わせ、接着層を介してテープ部材で接合する構成である。
【００１１】
この構成によれば、接合部の生地同士を重ねることなく、かつ縫製ではない、いわゆるシームレスの構成であるため、着用感が高まり、かつ肌にも優しい。テープ部材は、肌と直接接触しない外側の生地面に貼り合わされることが好ましい。
【００１２】
上記発明の一実施形態として、前身頃と後身頃との接合部は、隣り合う生地断面を互いが重ならないように突き合わせ、接着層を介してテープ部材で接合する構成である。
【００１３】
この構成によれば、接合部の生地同士を重ねることなく、かつ縫製ではない、シームレスの構成であるため、着用感が高まり、かつ肌にも優しい。
【００１４】
上記発明の一実施形態として、前記接合部が縫製によって接合される構成である。
【００１５】
上記発明において、衣服は、例えば、上着、シャツ、アウターなどを含む。
【図面の簡単な説明】
【００１６】
【図１】衣服の前面の一例を示す図である。
【図２】衣服の後面の一例を示す図である。
【図３】各パーツの展開図である。
【図４】接合部の断面図である。
【考案を実施するための形態】
【００１７】
（実施形態１）
本実施形態１の衣服を図１、図２、図３を参照しながら説明する。なお、本考案は、この衣服に限定されない。
【００１８】
図１は衣服の前面を示し、図２はその後面を示す。図３は各パーツの展開図である。衣服は、衿４と、前身頃１と、後身頃２と、右袖部３ａと、左袖部３ｂとを有する。衣服は、例えば、ポケットなどの追加のパーツを有していてもよい。
【００１９】
右袖部３ａおよび左袖部３ｂはそれぞれ単一のパーツである。右袖部３ａを例にとって以下に説明するが左袖部３ｂも同様の構成である。前身頃１および後身頃２との接合部７が、肩甲骨（あるいは肩から下がる位置の背部）、上腕周り(あるいは脇)、上腕、下腕の順番で延びる１ライン（Ｌ１→Ｌ２→Ｌ３）で構成されている。
【００２０】
前身頃１と後身頃２とは、接合部５（接合ラインＬ１１，Ｌ１２）で接合されている。図４は接合部５の断面図を示す。前身頃１と後身頃２との接合部５は、隣り合う前身頃１の生地断面１ａと後身頃２の生地断面２ａを互いが重ならないように突き合わせ、接着層５１を介してテープ部材５０で互いを接合する。生地断面１ａと後身頃２の生地断面２ａとを突き合わせた後、その上からテープ部材５０を置き、熱風または熱ローラーを用いたシ―ムテープ機を用いて、接着層５１を溶融させてそれらを接着する。接着剤５１は、予めテープ部材５０に形成している。
【００２１】
別実施形態として、あらかじめ若干大きく裁断しておいた前身頃１と後身頃２を互いに内側を向けて重ね合わせ、接合部５の線上で高周波ミシンにより溶着する。溶着された接合部５を中心に２枚を開いて（展開させ）、大きめに裁断しておいた余分な生地を取り除くと、生地断面１ａ、生地断面２ａが突き合わされた状態になるので、その上からテープ部材５０を置き、熱風または熱ローラーを用いたシ―ムテープ機を用いて、接着層５１を溶融させてそれらを接着する。接着剤５１は、予めテープ部材５０に形成している。
【００２２】
また、別実施形態として、接合部５を縫製で形成してもよい。生地断面１ａ、生地断面２ａが突き合わされた状態でも良く、生地断面１ａ、生地断面２ａが交差し少し重なった状態でも良い。また、テープ部材５０を用いても用いなくても良い。
【００２３】
また、肩部において、前身頃１と右袖部３ａとは、接合部６（接合ラインＬ１３）で接合されている。接合部６の断面は図４の接合部５と同様である。前身頃１と左袖部３ｂとの接合も同様である。接合部の形成方法として、上記のいずれの方法も用いることができる。
【００２４】
また、右袖部３ａと後身頃２および前身頃１との接合部７は、肩甲骨のラインに沿って接合ラインＬ１、上腕周り(脇)に沿って接合ラインＬ２、上腕から下腕にかけて筋肉筋に沿って接合ラインＬ３の順番に１ラインで接合されている。接合部７の断面は図４の接合部５と同様である。左袖部３ｂと後身頃２および前身頃１との接合も同様である。接合部の形成方法として、上記のいずれの方法も用いることができる。
【００２５】
このように、連続した１本の接合ラインＬ１、Ｌ２、Ｌ３は、滑らかな曲線になっており、上体運動、腕の動きに対し、反発することがなく、ツッパリ感を緩和し、かつ着用感も高い。
【００２６】
衣服を構成する衿４、前身頃１、後身頃２、右袖部３ａ、左袖部３ｂは、例えば、ストレッチ性の高い生地で構成することが好ましく、例えば、編生地、織生地、不織布、フィルムである。また、テープ部材５０は、例えば、編生地、織生地、不織布、フィルムなどで構成することが好ましい。また、接着層５１は、ポリウレタン系が好ましく、その他天然樹脂、合成樹脂の接着剤でも良い。接着剤は熱可塑性が作業性から好ましいが、溶剤系あるいは水性などでも良い。
【００２７】
上記衣服の構成する生地は、例えば、撥水、防臭、消臭、紫外線カット、抗菌、制菌、防虫、蓄熱、発熱、保温、冷感、吸水拡散などの機能を有していてもよい。
【符号の説明】
【００２８】
１          前身頃
２          後身頃
３ａ        右袖部
３ｂ        左袖部
４          衿
５，６，７  接合部
５０        テープ部材
５１        接着層
【図１】
0003188916.tif 000003
【図２】
0003188916.tif 000004
【図３】
0003188916.tif 000005
【図４】
0003188916.tif 000006